(57)【特許請求の範囲】
【請求項１】
複数の通信装置が通信ネットワークを介して通信可能に接続された通信システムであって、
複数の前記通信装置のそれぞれは、
携帯電話機と通信するための携帯電話通信部と、
他の前記通信装置から前記通信ネットワークを介して取得した情報を、前記携帯電話通信部を介して前記携帯電話機に転送する情報転送手段とを備えており、
複数の前記通信装置の少なくとも１つは、
前記携帯電話機からの情報を転送する転送先の通信装置を示す転送先情報を記憶する記憶部と、
前記携帯電話機での着呼を示す着呼情報を、前記携帯電話機から前記携帯電話通信部を介して取得すると、前記記憶部が記憶する転送先情報が示す通信装置に前記通信ネットワークを介して前記着呼情報を転送する着呼転送手段とを備えることを特徴とする通信システム。
【請求項２】
前記着呼情報は、着呼した携帯電話機を識別する着呼機識別情報を含むことを特徴とする請求項１に記載の通信システム。
【請求項３】
前記着呼情報は、発呼元の電話機を識別する発呼機識別情報を含むことを特徴とする請求項１または２に記載の通信システム。
【請求項４】
前記着呼転送手段は、前記発呼機識別情報に対応付けられた情報である発呼対応情報を、前記携帯電話機から前記携帯電話通信部を介して取得し、取得した発呼対応情報を前記着呼情報と共に転送することを特徴とする請求項３に記載の通信システム。
【請求項５】
前記転送先情報は、前記発呼機識別情報のうち前記着呼の転送を禁止するものを示す転送禁止識別情報を含んでおり、
前記着呼転送手段は、前記着呼情報に含まれる発呼機識別情報が、前記転送先情報に含まれる前記転送禁止識別情報と一致する場合、前記着呼情報の転送を禁止することを特徴とする請求項３または４に記載の通信システム。
【請求項６】
前記着呼転送手段は、前記転送先情報が示す通信装置に対し、情報の転送の認否を問い合わせ、該転送が容認された場合に、前記着呼情報を転送することを特徴とする請求項１ないし５の何れか１項に記載の通信システム。
【請求項７】
前記転送先情報には、転送先の通信装置を識別する通信装置識別情報と、前記携帯電話機を識別する携帯電話識別情報とが対応付けられていることを特徴とする請求項１ないし６の何れか１項に記載の通信システム。
【請求項８】
前記着呼転送手段を備える前記通信装置は、前記転送先情報を設定して前記記憶部に記憶する設定手段をさらに備えることを特徴とする請求項１ないし７の何れか１項に記載の通信システム。
【請求項９】
前記情報転送手段は、前記通信ネットワークから前記着呼情報を取得した場合、前記携帯電話機から前記携帯電話通信部を介して取得した情報を、前記着呼情報の転送元の通信装置に前記通信ネットワークを介して転送しており、
前記着呼転送手段を備える通信装置の前記情報転送手段は、前記携帯電話機から前記携帯電話通信部を介して取得した情報を、前記着呼転送手段が前記着呼情報を転送した転送先の通信装置に前記通信ネットワークを介して転送することを特徴とする請求項１ないし８の何れか１項に記載の通信システム。
【請求項１０】
前記携帯電話通信部は、前記携帯電話機と有線通信を行うための有線通信部と、前記携帯電話機と短距離無線通信を行うための無線通信部とを備えており、
前記携帯電話機の着脱を検知する着脱検知部と、
前記着脱検知部の検知結果により、前記携帯電話機が取り付けられている場合、前記有線通信部を介して前記携帯電話機と通信する一方、前記携帯電話機が取り外されている場合、前記無線通信部を介して前記携帯電話機と通信するように、前記有線通信部および前記無線通信部を制御する通信制御手段とをさらに備えることを特徴とする請求項１ないし９の何れか１項に記載の通信システム。
【請求項１１】
前記通信装置は、前記携帯電話機に充電を行うための充電装置であることを特徴とする請求項１ないし１０の何れか１項に記載の通信システム。
【請求項１２】
請求項１ないし１１の何れか１項に記載の通信システムに利用される通信装置。
【請求項１３】
請求項１ないし１１の何れか１項に記載の通信システムに利用される携帯電話機。
【請求項１４】
請求項１ないし１１の何れか１項に記載の通信システムを動作させるための通信システム制御プログラムであって、コンピュータを上記の各手段として機能させるための通信システム制御プログラム。
【請求項１５】
請求項１４に記載の通信システム制御プログラムが記録されたコンピュータ読取り可能な記録媒体。
【請求項１６】
携帯電話機と通信するための携帯電話通信部を備える複数の通信装置が通信ネットワークを介して通信可能に接続された通信システムの制御方法であって、
複数の前記通信装置の少なくとも１つが、前記携帯電話機での着呼を示す着呼情報を、前記携帯電話機から前記携帯電話通信部を介して取得すると、記憶部が記憶する転送先情報が示す通信装置に前記通信ネットワークを介して前記着呼情報を転送するステップと、
前記着呼情報を、前記通信ネットワークを介して取得した通信装置が、前記着呼情報を、前記携帯電話通信部を介して前記携帯電話機に転送するステップとを含むことを特徴とする通信システムの制御方法。
【発明の詳細な説明】
【技術分野】
【０００１】
本発明は、複数の通信装置が通信ネットワークを介して通信可能に接続された通信システムおよびその制御方法、通信装置、携帯電話機、通信システム制御プログラム、ならびに該プログラムを記録した記録媒体に関するものである。
【背景技術】
【０００２】
携帯電話機はいつでもユーザ宛の連絡を直接受けることができる便利なものであるが、そのために、各ユーザは常に携帯電話機を携帯するか自分の側に置いておく必要がある。一方、携帯電話機は、充電を必要とし、或る部屋で携帯電話機を充電中にユーザが別の部屋にいる場合に携帯電話機に着信があると、上記充電中の部屋に敢えて出向いたり、着信音が聞こえずに電話に出られなかったりすることがあった。
【０００３】
この問題に対し、特許文献１に記載の電話装置は、親機と１台以上の子機とで構成されたコードレス電話機であり、上記親機には携帯端末を充電するための充電器が１台以上接続されている。上記充電器と上記子機とは対応付けられており、上記充電器に置かれた携帯端末に着呼があった場合、自動的に親機や対応した子機で通話できる状態になる。これにより、上記携帯端末に着信した電話を、ユーザの持って行った子機で取ることができる。
【特許文献１】特開２００６−３３９８１４号公報（２００６年１２月１４日公開）
【特許文献２】特開平４−２７１６４６号公報（１９９２年９月２８日公開）
【特許文献３】特開平８−２０５２３９号公報（１９９６年８月９日公開）
【特許文献４】特開２００２−１３５４０９号公報（２００２年５月１０日公開）
【発明の開示】
【発明が解決しようとする課題】
【０００４】
しかしながら、上記従来の構成では、親機と１台以上の子機とを利用する必要があり、ユーザの人数に応じて子機の数を増やす必要がある。
【０００５】
本発明は、上記の問題点に鑑みてなされたものであり、その目的は、コードレス電話機の子機を利用することなく、携帯電話機での着呼を離れた場所で報知できる通信システムなどを提供することにある。
【課題を解決するための手段】
【０００６】
本発明に係る通信システムは、複数の通信装置が通信ネットワークを介して通信可能に接続された通信システムであって、上記課題を解決するために、複数の前記通信装置のそれぞれは、携帯電話機と通信するための携帯電話通信部と、他の前記通信装置から前記通信ネットワークを介して取得した情報を、前記携帯電話通信部を介して前記携帯電話機に転送する情報転送手段とを備えており、複数の前記通信装置の少なくとも１つは、前記携帯電話機からの情報を転送する転送先の通信装置を示す転送先情報を記憶する記憶部と、前記携帯電話機での着呼を示す着呼情報を、前記携帯電話機から前記携帯電話通信部を介して取得すると、前記記憶部が記憶する転送先情報が示す通信装置に前記通信ネットワークを介して前記着呼情報を転送する着呼転送手段とを備えることを特徴としている。
【０００７】
また、本発明に係る通信システムの制御方法は、携帯電話機と通信するための携帯電話通信部を備える複数の通信装置が通信ネットワークを介して通信可能に接続された通信システムの制御方法であって、上記課題を解決するために、複数の前記通信装置の少なくとも１つが、前記携帯電話機での着呼を示す着呼情報を、前記携帯電話機から前記携帯電話通信部を介して取得すると、記憶部が記憶する転送先情報が示す通信装置に前記通信ネットワークを介して前記着呼情報を転送するステップと、前記着呼情報を、前記通信ネットワークを介して取得した通信装置が、前記着呼情報を、前記携帯電話通信部を介して前記携帯電話機に転送するステップとを含むことを特徴としている。
【０００８】
上記の構成および方法によると、携帯電話機から携帯電話通信部を介して着呼情報を取得した通信装置は、記憶部が記憶する転送先情報が示す通信装置に上記着呼情報を転送する。該着呼情報が転送された転送先の通信装置は、上記着呼情報を上記携帯電話通信部を介して上記携帯電話機に転送する。
【０００９】
従って、着呼情報は、転送先の通信装置に転送され、さらに、転送先の通信装置と通信する転送先の携帯電話機に転送されることにより、転送先の携帯電話機で着呼報知が可能となる。その結果、或る携帯電話機での着呼を、離れた場所に設置された他の携帯電話機にて報知することができ、ユーザが携帯電話機から離れていても、着呼に気付くことができる。
【００１０】
ところで、最近では、各人が携帯電話機を所有するようになっており、一世帯に２・３台程度有していることが多い。そこで、これら複数の携帯電話機を利用することにより、従来技術のように、コードレス電話機の子機を増やすことを防止することができる。
【００１１】
なお、上記携帯電話通信部は、上記携帯電話機と有線で通信してもよいし、無線で通信してもよい。さらに、無線通信の場合は、通信距離が約５〜１０ｍ程度である短距離無線通信であることが望ましい。短距離無線通信の例としては、Ｂｌｕｅｔｏｏｔｈ（登録商標）、ＩｒＤＡ（Infrared Data Association）、ＮＦＣ（Near Field Communication）
、ＵＷＢ（Ultra Wide Band）、ＺｉｇＢｅｅ（登録商標）、Ｗｉｂｒｅｅ、ワイヤレスＵＳＢ（Universal Serial Bus）などが挙げられる。
【００１２】
また、転送先情報は、複数でもよい。この場合、両方に情報を転送してもよいし、接続を確立した転送先に転送してもよい。
【００１３】
本発明に係る通信システムでは、前記着呼情報は、着呼した携帯電話機を識別する着呼機識別情報を含むことが好ましい。この場合、着呼機識別情報を転送先の携帯電話機で出力することにより、何れの携帯電話機での着呼であるかを容易に判別することができる。
【００１４】
本発明に係る通信システムでは、前記着呼情報は、発呼元の電話機を識別する発呼機識別情報を含むことが好ましい。この場合、転送先の携帯電話機にて、発呼元を特定することができる。また、発信元の着信履歴を残すことができる。なお、着信履歴を残すか否かは、着呼した携帯電話機に記憶された設定情報に基づいて行ってもよい。
【００１５】
本発明に係る通信システムでは、前記着呼転送手段は、前記発呼機識別情報に対応付けられた情報である発呼対応情報を、前記携帯電話機から前記携帯電話通信部を介して取得し、取得した発呼対応情報を前記着呼情報と共に転送することが好ましい。ここで、発呼対応情報の例としては、着呼時に出力する音・メロディ、点滅する色などが挙げられる。この場合、転送先の携帯電話機にて、着呼した携帯電話機と同じ設定で着呼報知を行うことができる。
【００１６】
本発明に係る通信システムでは、前記転送先情報は、前記発呼機識別情報のうち前記着呼の転送を禁止するものを示す転送禁止識別情報を含んでおり、前記着呼転送手段は、前記着呼情報に含まれる発呼機識別情報が、前記転送先情報に含まれる前記転送禁止識別情報と一致する場合、前記着呼情報の転送を禁止することが好ましい。この場合、ユーザが転送を望まない発呼元からの着呼が転送先に転送されることを防止することができる。
【００１７】
ところで、転送先の通信装置が、転送先の携帯電話機と通信できない場合が考えられる。この場合、着呼の転送を行っても無駄になる。そこで、本発明に係る通信システムでは、前記着呼転送手段は、前記転送先情報が示す通信装置に対し、情報の転送の認否を問い合わせ、該転送が容認された場合に、前記着呼情報を転送してもよい。この場合、上記無駄の発生を防止することができる。
【００１８】
本発明に係る通信システムでは、前記転送先情報には、転送先の通信装置を識別する通信装置識別情報と、前記携帯電話機を識別する携帯電話識別情報とが対応付けられていてもよい。この場合、着呼する携帯電話機ごとに、転送先を変更することができる。
【００１９】
本発明に係る通信システムでは、前記着呼転送手段を備える前記通信装置は、前記転送先情報を設定して前記記憶部に記憶する設定手段をさらに備えることが好ましい。上記設定手段により、ユーザが転送先を設定することができる。なお、設定手段は、携帯電話機から転送先情報を取得して記憶部に記憶してもよいし、通信装置にて入力された転送先情報を記憶部に記憶してもよい。
【００２０】
本発明に係る通信システムでは、前記情報転送手段は、前記通信ネットワークから前記着呼情報を取得した場合、前記携帯電話機から前記携帯電話通信部を介して取得した情報を、前記着呼情報の転送元の通信装置に前記通信ネットワークを介して転送しており、前記着呼転送手段を備える通信装置の前記情報転送手段は、前記携帯電話機から前記携帯電話通信部を介して取得した情報を、前記着呼転送手段が前記着呼情報を転送した転送先の通信装置に前記通信ネットワークを介して転送することが好ましい。
【００２１】
この場合、着呼情報の転送元の携帯電話機から、着呼情報の転送元の通信装置、通信ネットワーク、および着呼情報の転送先の通信装置を介して、着呼情報の転送先の携帯電話機に各種情報を転送することができると共に、上記転送先の携帯電話機から、上記転送先の通信装置、通信ネットワーク、および上記転送元の通信装置を介して、上記転送元の携帯電話機に各種情報を転送することができる。従って、例えば、上記転送先の携帯電話機から上記転送元の携帯電話機に通話開始を指示する情報を転送し、上記転送先の携帯電話機と上記転送元の携帯電話機との間で音声情報を転送し合うことにより、発呼元の電話機と上記転送先の携帯電話機との間で通話を行うことができる。これにより、上記通話のために、着呼した携帯電話機の設置場所に戻る必要がない。
【００２２】
本発明に係る通信システムでは、前記携帯電話通信部は、前記携帯電話機と有線通信を行うための有線通信部と、前記携帯電話機と短距離無線通信を行うための無線通信部とを備えており、前記携帯電話機の着脱を検知する着脱検知部と、前記着脱検知部の検知結果により、前記携帯電話機が取り付けられている場合、前記有線通信部を介して前記携帯電話機と通信する一方、前記携帯電話機が取り外されている場合、前記無線通信部を介して前記携帯電話機と通信するように、前記有線通信部および前記無線通信部を制御する通信制御手段とをさらに備えてもよい。
【００２３】
例えば、携帯電話機がクレードルに取り付けられている場合、クレードルから外して通話を行うことが多い。この場合、クレードルである通信装置と携帯電話機との通信が有線であると、通信が切断されることになる。そこで、上記の構成において、携帯電話機が通信装置から取り外されると、短距離無線通信に切り替わるようになっている。これにより、通信が切断されるという問題点を解消することができる。
【００２４】
なお、前記通信装置は、一般に携帯電話機が取り付けられるクレードルのように、前記携帯電話機に充電を行うための充電装置であることが好ましい。また、上記通信システムに利用される通信装置および携帯電話機であれば、上述と同様の効果を奏することができる。
【００２５】
なお、上記通信システムの各手段を、通信システム制御プログラムによりコンピュータ上で実行させることができる。さらに、上記通信システム制御プログラムをコンピュータ読取り可能な記録媒体に記憶させることにより、任意のコンピュータ上で当該制御プログラムを実行させることができる。
【発明の効果】
【００２６】
以上のように、本発明に係る通信システムでは、携帯電話機から着呼情報を取得した通信装置は、転送先情報が示す通信装置に上記着呼情報を転送し、該着呼情報が転送された転送先の通信装置は、上記着呼情報を転送先の携帯電話機に転送するので、携帯電話機での着呼を、コードレス電話機の子機で報知する代わりに、他の携帯電話機で報知できるという効果を奏する。
【発明を実施するための最良の形態】
【００２７】
本発明の一実施形態について図１〜図１５を参照して説明する。図２は、本実施形態の電話システムの概要を示している。図示のように、電話システム（通信システム）１０は、携帯電話機１１が取り付けられる複数のクレードル（通信装置）１２が、ＬＡＮ（Local Area Network）（通信ネットワーク）１３を介して通信可能に接続された構成である。
【００２８】
各クレードル１２は、携帯電話機１１との間で、短距離無線通信と、接続端子を介した有線通信とを行うことができる。短距離無線通信としては、Ｂｌｕｅｔｏｏｔｈ（登録商標）を利用することが考えられるが、ＩｒＤＡ、ＺｉｇＢｅｅ、その他の短距離無線通信を利用することができる。なお、短距離無線通信および有線通信の一方のみが可能であってもよい。また、ＬＡＮ１３は、有線通信ネットワークであることが望ましいが、無線通信ネットワークでもよい。
【００２９】
本実施形態では、各クレードル１２は、他のクレードル１２からＬＡＮ１３を介して受信した情報を、携帯電話機１１に送信する機能を有している。また、少なくとも１つのクレードル１２は、携帯電話機１１での着呼を示す着呼情報を、携帯電話機１１から受信すると、予め記憶した転送先情報が示すクレードル１２にＬＡＮ１３を介して着呼情報を送信している。
【００３０】
これにより、携帯電話機１１から着呼情報を受信したクレードル１２は、上記転送先情報が示すクレードル１２に上記着呼情報を送信する。該着呼情報が転送された転送先のクレードル１２は、上記着呼情報を携帯電話機１１に送信する。
【００３１】
従って、着呼情報は、転送先のクレードル１２に転送され、さらに、該クレードル１２と通信する転送先の携帯電話機１１に転送されることにより、転送先の携帯電話機１１で着呼報知が可能となる。その結果、或る携帯電話機１１での着呼を、離れた場所に設置された他の携帯電話機１１に報知することができ、ユーザが携帯電話機１１から離れていても、着呼に気付くことができる。また、着呼の転送を、複数の携帯電話機１１を利用して行うことができるので、着呼の転送を行うために、コードレス電話機の子機を増設する必要が無い。
【００３２】
次に、携帯電話機１１の概要について、図３を参照して説明する。図３は、携帯電話機１１の概略構成を示している。図示のように、携帯電話機１１は、制御部２０、記憶部２１、携帯電話用アンテナ部２２、携帯電話網通信部２３、音声処理部２４、音声入力部２５、音声出力部２６、操作部２７、表示部２８、短距離無線通信用アンテナ部２９、短距離無線通信部３０、電源部３１、充電用端子部３２、充電部３３、およびＩ／Ｆ（インタフェース）部３４を備える構成である。
【００３３】
制御部２０は、携帯電話機１１内の各種構成を統括的に制御するものである。制御部２０の機能は、例えばＲＡＭ（Random Access Memory）やフラッシュメモリなどの記憶素子に記憶されたプログラムをＣＰＵ（Central Processing Unit）が実行することによって実現される。なお、制御部２０の詳細については後述する。
【００３４】
記憶部２１は、各種データおよびプログラムを記憶するものである。記憶部２１の例としては、制御部２０が動作するときに必要なプログラムや、通信制御データなどの固定データを記憶する読出し専用の半導体メモリであるＲＯＭ（Read Only Memory）と、バーコード認識や通信に関するデータ、演算に使用するデータ、および演算結果などを一時的に記憶する、いわゆるワーキングメモリとしてのＲＡＭと、各種の設定データ、撮影画像データ、電子メールデータなどを記憶する書換え可能な不揮発性メモリ（例えばフラッシュメモリ）とが挙げられる。
【００３５】
携帯電話用アンテナ部２２は、電波を外部に送り出すとともに外部から電波を受け取るためのものである。具体的には、携帯電話用アンテナ部２２は、８００ＭＨｚ帯、１．５ＧＨｚ帯などの携帯電話用電波を送受するためのものである。
【００３６】
携帯電話網通信部２３は、制御部２０から受信したデータを、基地局１４（図２参照）への無線送信に適した形式に変換し、変換した無線信号を携帯電話用アンテナ部２２を介して外部に送信するものである。また、携帯電話網通信部２３は、外部から携帯電話用アンテナ部２２を介して受信した無線信号を元の形式に変換し、変換したデータを制御部２０に送信するものである。さらに、携帯電話網通信部２３は、他の電話機と通話するための回線接続処理および回線切断処理を行うものである。具体的には、携帯電話網通信部２３では、チャネルコーデック処理、ベースバンド信号処理、データの変復調処理、ＲＦ（Radio Frequency）処理などが行われる。
【００３７】
音声処理部２４は、音声入力部２５からの音声信号を所定の音声データに変換して制御部２０に送信するとともに、制御部２０からの音声データを音声信号に変換して音声出力部２６に送信するものである。具体的には、音声処理部２４は、Ａ／Ｄ変換器、Ｄ／Ａ変換器、アンプ、音声コーデック回路などを備える構成である。
【００３８】
音声入力部２５は、外部から入力された音波を、電気信号である音声信号に変換して音声処理部２４に送信するものである。具体的には、音声入力部２５はマイクロホンを備える構成である。
【００３９】
音声出力部２６は、音声処理部２４からの音声信号を音波に変換して外部に出力するものである。具体的には、音声出力部２６は、レシーバ、スピーカ、音声出力用コネクタなどを備える構成である。通常、携帯電話機１１では、通話を行う場合にはレシーバが利用され、着信の報知やテレビ電話を行う場合にはスピーカが利用される。また、音楽を聴く場合には、周囲の人々に配慮して、音声出力用コネクタにヘッドホンが接続される。
【００４０】
なお、電話機の場合、音声入力部２５に入力するユーザの音声が音声出力部２６から聞こえることが望ましい。このため、音声処理部２４は、音声入力部２５からの音声信号を所定の音量レベルに調整した後、音声出力部２６に送信することが望ましい。
【００４１】
操作部２７は、携帯電話機１１の表面に設けられた操作ボタンなどの入力デバイスをユーザが操作することにより、操作データを作成して制御部２０に送信するものである。入力デバイスの例としては、ボタンスイッチの他にタッチパネルなどが挙げられる。
【００４２】
表示部２８は、制御部２０から画像データを受信し、受信した画像データに基づいて表示画面に画像を表示するものである。具体的には、表示部２８は、ＬＣＤ（Liquid Crystal Display）、ＰＤＰ（Plasma Display Panel）、ＥＬ（Electroluminescence）ディスプレイなどの表示素子と、受信した画像データに基づいて表示素子を駆動するドライバ回路とを備える構成である。
【００４３】
短距離無線通信用アンテナ部２９は、電波を外部に送り出すとともに外部から電波を受け取るためのものである。例えば、短距離無線通信としてブルートゥース（登録商標）を利用する場合、短距離無線通信用アンテナ部２９は、２．４５ＧＨｚ帯の電波を送受することになる。
【００４４】
短距離無線通信部３０は、制御部２０から受信したデータを短距離無線送信に適した形式に変換し、変換した無線信号を、短距離無線通信用アンテナ部２９を介して外部に送信するとともに、外部から短距離無線通信用アンテナ部２９を介して受信した無線信号を元の形式に変換し、変換したデータを制御部２０に送信するものである。具体的には、短距離無線通信部３０では、データの変復調処理、ＲＦ処理などが行われる。
【００４５】
電源部３１は、携帯電話機１１内の各種構成に適当な電力を供給するものである。電源部３１は、例えば、リチウムイオン電池などの充電可能な２次電池、電源回路などによって構成される。
【００４６】
充電用端子部３２は、クレードル１２の給電用端子部と接続して、該給電用端子部から供給される電力により、電源部３１の２次電池を充電するためのものである。充電用端子部３２は、例えば、クレードル１２の給電用端子部と電気的に接続するための接続端子などによって構成される。
【００４７】
充電部３３は、クレードル１２から充電用端子部３２を介して供給される電力を用いて、電源部３１の２次電池を充電するものである。充電部３３は、充電回路などによって構成される。
【００４８】
Ｉ／Ｆ部３４は、クレードル１２のＩ／Ｆ部と接続して、音声信号や電話番号情報等のデータ信号や制御信号等の各種信号を、クレードル１２および携帯電話機１１間で送受信するためのものである。Ｉ／Ｆ部３４は、例えば、クレードル１２のＩ／Ｆ部と電気的に接続するための接続端子などによって構成される。
【００４９】
次に、クレードル１２の概要について図４を参照して説明する。図４は、クレードル１２の概略構成を示している。図示のように、クレードル１２は、制御部４０、記憶部４１、ＬＡＮ接続部４２、操作部４３、表示部４４、短距離無線通信用アンテナ部４５、短距離無線通信部（携帯電話通信部、無線通信部）４６、電源部４７、充電制御部４８、給電用端子部４９、およびＩ／Ｆ部（携帯電話通信部、有線通信部）５０を備える構成である。
【００５０】
制御部４０は、クレードル１２内の各種構成を統括的に制御するものである。制御部４０の機能は、例えばＲＡＭやフラッシュメモリなどの記憶素子に記憶されたプログラムをＣＰＵが実行することによって実現される。なお、制御部４０の詳細については後述する。
【００５１】
記憶部４１は、各種データおよびプログラムを記憶するものである。記憶部４１の例としては、制御部４０が動作するときに必要なプログラムや、通信制御データなどの固定データを記憶する読出し専用の半導体メモリであるＲＯＭと、通信に関するデータ、演算に使用するデータ、および演算結果などを一時的に記憶する、いわゆるワーキングメモリとしてのＲＡＭと、各種の設定データなどを記憶する書換え可能な不揮発性メモリ（例えばフラッシュメモリ）とが挙げられる。
【００５２】
ＬＡＮ接続部４２は、クレードル１２をＬＡＮ１３に接続するためのものである。具体的には、ＬＡＮ接続部４２は、制御部４０とのＩ／Ｆ、アクセス制御用コントローラ、ネットワーク媒体とのＩ／Ｆなどを備える構成である。
【００５３】
操作部４３は、クレードル１２の表面に設けられた操作ボタンなどの入力デバイスをユーザが操作することにより、操作データを作成して制御部４０に送信するものである。入力デバイスの例としては、ボタンスイッチの他にタッチパネルなどが挙げられる。
【００５４】
表示部４４は、制御部４０から画像データを受信し、受信した画像データに基づいて表示画面に画像を表示するものである。具体的には、表示部４４は、ＬＣＤ、ＰＤＰ、ＥＬディスプレイなどの表示素子と、受信した画像データに基づいて表示素子を駆動するドライバ回路とを備える構成である。なお、クレードル１２と通信可能な携帯電話機１１に操作部２７および表示部２８が設けられているので、クレードル１２の操作部４３および表示部４４は省略しても良い。
【００５５】
短距離無線通信用アンテナ部４５は、電波を外部に送り出すとともに外部から電波を受け取るためのものである。例えば、短距離無線通信としてブルートゥース（登録商標）を利用する場合、短距離無線通信用アンテナ部４５は、２．４５ＧＨｚ帯の電波を送受することになる。
【００５６】
短距離無線通信部４６は、制御部４０から受信したデータを短距離無線送信に適した形式に変換し、変換した無線信号を、短距離無線通信用アンテナ部４５を介して外部に送信するとともに、外部から短距離無線通信用アンテナ部４５を介して受信した無線信号を元の形式に変換し、変換したデータを制御部４０に送信するものである。具体的には、短距離無線通信部４６では、データの変復調処理、ＲＦ処理などが行われる。
【００５７】
電源部４７は、コンセントなどの外部電源から供給される電力を利用して、クレードル１２内の各種構成に適当な電力を供給するものである。電源部４７は、例えば、電源回路などによって構成される。
【００５８】
給電部４８は、電源部４７から供給された電力を適当な電力に変換して、クレードル１２内の各種構成に供給したり、給電用端子部４９を介して携帯電話機１１に供給したりするものである。給電部４８から携帯電話機１１への給電（電力供給）の開始および停止は、制御部４０からの指示信号に基づいて行われる。
【００５９】
給電用端子部４９は、携帯電話機１１の充電用端子部３２と接続して、給電部４８から供給される電力を充電用端子部３２に供給するためのものである。給電用端子部４９は、例えば、携帯電話機１１の充電用端子部３２と電気的に接続するための接続端子などによって構成される。
【００６０】
Ｉ／Ｆ部５０は、携帯電話機１１のＩ／Ｆ部３４と接続して、音声信号や電話番号情報等のデータ信号や制御信号等の各種信号を、携帯電話機１１およびクレードル１２間で送受信するためのものである。Ｉ／Ｆ部５０は、例えば、携帯電話機１１のＩ／Ｆ部３４と電気的に接続するための接続端子などによって構成される。
【００６１】
次に、携帯電話機１１の制御部２０および記憶部２１とクレードル１２の制御部４０および記憶部４１との詳細について、図１、および図５〜図７を参照して説明する。制御部２０・４０および記憶部２１・４１内の構成は、着呼の転送元および転送先の何れであるかによって異なる。以下では、着呼の転送元となる携帯電話機１１およびクレードル１２を、それぞれ「転送元携帯電話機１１ａ」および「転送元クレードル１２ａ」と称する。また、着呼の転送先となる携帯電話機１１およびクレードル１２を、それぞれ「転送先携帯電話機１１ｂ」および「転送先クレードル１２ｂ」と称する。
【００６２】
図５は、転送元携帯電話機１１ａにおける制御部２０および記憶部２１の概略構成を示している。図示のように、制御部２０は、通信路選択部６０、転送先設定部６１、着呼取得部６２、報知情報取得部６３、通話指示部６４、および音声送受部６５を備える構成である。また、記憶部２１は、転送先情報６６および報知情報設定テーブル（発呼対応情報）６７を記憶している。
【００６３】
転送先情報６６は、着呼を転送する転送先クレードル１２ｂを示す情報である。また、報知情報設定テーブルは、報知情報と発呼元の電話番号（発呼機識別情報）とを対応付けたものである。ここで、報知情報とは、着呼を報知する場合において、報知の形態、種類、大きさなどを示すものである。例えば、報知の形態としては、サウンド、振動などが挙げられる。また、報知の種類としては、メロディの種類、振動またはサウンドのオン・オフのパターンなどが挙げられる。また、報知の大きさとしては、音量、振動の振幅などが挙げられる。
【００６４】
通信路選択部６０は、転送元クレードル１２ａとの通信路として、短距離無線通信部３０およびＩ／Ｆ部３４の何れか一方を選択するものである。この選択は、短距離無線通信部３０およびＩ／Ｆ部３４に対し、転送元クレードル１２ａとの通信が可能か否かを調査するように指示し、該調査の結果に基づいて、通信路を選択するようにすればよい。なお、両方とも通信可能である場合には、伝送の確実性および消費電力の観点から、有線通信であるＩ／Ｆ部３４を選択することが望ましい。
【００６５】
転送先設定部６１は、着呼の転送先を設定するものである。具体的には、転送先設定部６１は、ユーザから操作部２７を介して入力された上記転送先情報を記憶部２１に記憶しておき、通信路選択部６０が選択した通信路を介して転送元クレードル１２ａに、適当なタイミングで送信するものである。上記タイミングの例としては、周期的なタイミング、転送元クレードル１２ａと通信可能になった時、転送元携帯電話機１１ａが転送元クレードル１２ａに取り付けられた時、などが挙げられる。
【００６６】
着呼取得部６２は、転送元携帯電話機１１ａにて着呼があったときに、該着呼を示す着呼情報を携帯電話網通信部２３から取得するものである。着呼取得部６２は、取得した着呼情報を、報知情報取得部６３に送出すると共に、通信路選択部６０が選択した通信路を介して転送元クレードル１２ａに送信する。本実施形態では、着呼情報は、発呼元の電話機を特定するため、発呼元の電話番号を含むものとする。
【００６７】
報知情報取得部６３は、着呼取得部６２からの着呼情報から発呼元の電話番号を取得し、取得した発呼元の電話番号に対応する報知情報を、記憶部２１の報知情報設定テーブル６７から検索することにより、上記報知情報を取得するものである。報知情報取得部６３は、取得した報知情報を、通信路選択部６０が選択した通信路を介して転送元クレードル１２ａに送信する。
【００６８】
通話指示部６４は、転送元クレードル１２ａから、通信路選択部６０が選択した通信路を介して取得した通話指示情報に基づいて、携帯電話網通信部２３に対し通話指示を行うものである。ここで、通話指示は、通話開始指示、通話終了指示などの通話指示を示す情報である。
【００６９】
音声送受部６５は、発呼元の電話機と転送先携帯電話機１１ｂとの間で通話を行うために、転送元クレードル１２ａに対し、通話のための音声情報を送受するものである。具体的には、音声送受部６５は、携帯電話網通信部２３からの音声情報を、通信路選択部６０が選択した通信路を介して転送元クレードル１２ａに送信している。また、転送元クレードル１２ａから、通信路選択部６０が選択した通信路を介して受信した音声情報を携帯電話網通信部２３に送信している。
【００７０】
図６は、転送先携帯電話機１１ｂにおける制御部２０および記憶部２１の概略構成を示している。図示のように、制御部２０は、通信路選択部７０、着呼取得部７１、報知情報取得部７２、出力制御部７３、通話指示取得部７４、および音声転送部７５を備える構成である。
【００７１】
通信路選択部７０は、転送先クレードル１２ｂとの通信路として、短距離無線通信部３０およびＩ／Ｆ部３４の何れか一方を選択するものである。この選択の手法は、転送元携帯電話機１１ａの通信路選択部６０と同様である。
【００７２】
着呼取得部７１は、転送元携帯電話機１１ａからの着呼情報を、転送元クレードル１２ａと、転送先クレードル１２ｂと、通信路選択部７０が選択した通信路とを介して取得するものである。着呼取得部７１は、取得した着呼情報を、出力制御部７３に送出する。
【００７３】
同様に、報知情報取得部７２は、転送元携帯電話機１１ａからの報知情報を、転送元クレードル１２ａと、転送先クレードル１２ｂと、通信路選択部７０が選択した通信路とを介して取得するものである。報知情報取得部７２は、取得した着呼情報を、出力制御部７３に送出する。
【００７４】
出力制御部７３は、転送元携帯電話機１１ａで着呼した旨を報知するために、音声処理部２４および表示部２８を制御するものである。具体的には、出力制御部７３は、着呼取得部７１から着呼情報を受け取ると、報知情報取得部７２から受け取った報知情報に基づく報知用データを音声処理部２４に送信することにより、音声出力部２６から報知用音声を出力する。また、出力制御部７３は、上記着呼情報に含まれる発呼元の電話番号を表示するように表示部２８を制御する。
【００７５】
なお、出力制御部７３は、発呼元の電話番号に対応する氏名などの名称を、上記報知情報から取得して、発呼元の電話番号と共に、或いは代えて、表示するように表示部２８を制御してもよい。また、携帯電話機１１が点灯部を有する場合、該点灯部が報知用の点灯を行うように出力制御部７３が制御してもよい。
【００７６】
通話指示取得部７４は、転送元携帯電話機１１ａに対する上記通話指示情報を、ユーザから操作部２７を介して取得するものである。通話指示取得部７４は、取得した通話指示情報を、通信路選択部７０が選択した通信路を介して転送先クレードル１２ｂに送信する。
【００７７】
図１は、転送元クレードル１２ａにおける制御部４０および記憶部４１の概略構成を示している。図示のように、制御部４０は、通信路選択部８０、転送先設定部（設定手段）８１、着呼取得部（着呼転送手段）８２、転送先取得部（着呼転送手段）８３、転送適否問合せ部（着呼転送手段）８４、および情報転送部８５を備える構成である。また、記憶部４１は、転送先情報６６と同様の転送先情報８６を記憶している。
【００７８】
通信路選択部８０は、転送元携帯電話機１１ａとの通信路として、短距離無線通信部４６およびＩ／Ｆ部５０の何れか一方を選択するものである。この選択の手法は、転送元携帯電話機１１ａの通信路選択部６０と同様である。
【００７９】
転送先設定部８１は、転送元携帯電話機１１ａから、通信路選択部８０が選択した通信路を介して転送先情報を取得すると、取得した転送先情報を記憶部４１に記憶するものである。なお、転送先設定部８１は、転送先情報を転送元クレードル１２ａの操作部４３から取得して記憶してもよい。
【００８０】
ここで、記憶部４１が記憶する転送先情報８６の具体例について、図８〜図１０を参照して説明する。なお、図８〜図１０に示されるクレードル１２は、全て、転送元クレードル１２ａとしても機能するし、転送先クレードル１２ｂとしても機能するものである。
【００８１】
図８の（ａ）〜（ｄ）は、それぞれ、リビング、寝室、子供部屋、およびキッチンに設置された４台のクレードル１２（クレードル１〜４）に記憶された転送先情報８６の一例を示している。図示の例では、着呼の転送先は、リビングのクレードル１の場合、キッチンのクレードル４であり、寝室のクレードル２の場合、リビングおよびキッチンのクレードル１・４であり、子供部屋のクレードル３の場合、リビングのクレードル１であり、かつ、キッチンのクレードル４の場合、リビングのクレードル１である。同図の（ｂ）のように、転送先として、複数のクレードル１２を設定することができる。
【００８２】
図９の（ａ）〜（ｄ）は、それぞれ、上記４台のクレードル１〜４に記憶された転送先情報８６の別の例を示している。図示の例は、図８の例と比べて、クレードル１〜４のそれぞれに複数の携帯電話機１１が取り付け可能となっており、転送先情報８６が、クレードル１〜４に取り付けられる転送元携帯電話機１１ａの電話番号（携帯番号）（着呼機識別情報）ごとに設定されている。この場合、着呼する携帯電話機１１ａごとに、転送先を変更することができる。
【００８３】
図１０の（ａ）〜（ｄ）は、それぞれ、上記４台のクレードル１〜４に記憶された転送先情報８６の他の例を示している。図示の例は、図８の例と比べて、クレードル１２に携帯電話機１１が取り付けられていない場合に、クレードル１２が短距離無線通信により検知すべき転送元携帯電話機１１ａの電話番号（紐付け携帯番号）が、転送先情報８６と関連付けられている。なお、同図の（ａ）では、紐付け携帯番号が空白となっているが、これは、上記検知を行わないことを示している。図示のように転送先情報８６が設定されることにより、クレードル１２が短距離無線通信を行う携帯電話機１１が制限されることになる。
【００８４】
図１に戻ると、着呼取得部８２は、転送元携帯電話機１１ａからの着呼情報を、通信路選択部８０が選択した通信路を介して取得するものである。着呼取得部８２は、取得した着呼情報を、転送先取得部８３に送出する。
【００８５】
転送先取得部８３は、着呼取得部８２から着呼情報を取得すると、記憶部４１から転送先情報８６を取得するものである。転送先取得部８３は、取得した転送先情報８６を転送適否問合せ部８４に送出する。なお、図９に示すように、転送先情報が携帯番号と対応付けられている場合には、転送元携帯電話機１１ａからの着信情報その他の情報に含まれる携帯番号を用いて、該携帯番号に対応する転送先情報を記憶部４１から読み出せばよい。
【００８６】
転送適否問合せ部８４は、転送先取得部８３からの転送先情報８６が示す転送先に対し、着呼情報を含む情報の転送の適否を、ＬＡＮ接続部４２およびＬＡＮ１３を介して問い合わせるものである。この問合せの結果、上記情報の転送を転送先クレードル１２ｂが認めた場合、転送適否問合せ部８４は、情報転送部８５に転送先情報８６を送出する。
【００８７】
情報転送部８５は、転送元携帯電話機１１ａと転送先クレードル１２ｂとの間で情報を転送するためのものである。ここで、転送される情報の例としては、上記着呼情報、上記通話指示情報、上記音声情報などが挙げられる。
【００８８】
具体的には、情報転送部８５は、転送元携帯電話機１１ａから、通信路選択部８０が選択した通信路を介して受信した情報を、ＬＡＮ接続部４２およびＬＡＮ１３を介して転送先クレードル１２ｂに送信している。また、情報転送部８５は、転送先クレードル１２ｂからＬＡＮ１３およびＬＡＮ接続部４２を介して受信した情報を、通信路選択部８０が選択した通信路を介して転送元携帯電話機１１ａに送信している。
【００８９】
図７は、転送先クレードル１２ｂにおける制御部４０の概略構成を示している。図示のように、制御部４０は、通信路選択部（通信制御手段）９０、着脱検知部９１、転送適否判定部９２、および情報転送部（情報転送手段）９３を備える構成である。
【００９０】
通信路選択部９０は、転送先携帯電話機１１ｂとの通信路として、短距離無線通信部４６およびＩ／Ｆ部５０の何れか一方を選択するものである。また、着脱検知部９１は、Ｉ／Ｆ部５０における有線通信が可能か否かを検出することにより、自機１２ｂに転送先携帯電話機１１ｂが取り付けられているか否かを検知するものである。
【００９１】
ところで、携帯電話機１１をクレードル１２に取り付けた状態で、携帯電話機１１に着呼があった場合、ユーザは、携帯電話機１１をクレードル１２から取り外して使用することが一般的である。携帯電話機１１がクレードル１２から取り外されると、Ｉ／Ｆ部３４・５０を介しての有線通信を行うことができないので、短距離無線通信に切り替わることが望ましい。
【００９２】
そこで、本実施形態では、転送先携帯電話機１１ｂが自機１２ｂから取り外されたことを着脱検知部９１が検知すると、通信路選択部９０は、Ｉ／Ｆ部５０を介しての有線通信から、短距離無線通信部４６を介しての短距離無線通信へ直ちに切り替わるようになっている。
【００９３】
転送適否判定部９２は、転送元クレードル１２ａからＬＡＮ１３およびＬＡＮ接続部４２を介して、情報の転送の適否の問合せを受け取ると、上記転送の適否を判定するものである。この判定は、通信路選択部９０が選択した通信路で転送先携帯電話機１１ｂとの通信が可能か否かで行われる。すなわち、上記通信が可能である場合、上記情報の転送を認める判定が行われる一方、上記通信が不能である場合、上記情報の転送を認めない判定が行われる。転送適否判定部９２は、上記問合せに対する判定結果を、ＬＡＮ接続部４２およびＬＡＮ１３を介して転送元クレードル１２ａに送信する。
【００９４】
情報転送部９３は、転送先携帯電話機１１ｂと転送元クレードル１２ａとの間で情報を転送するためのものである。具体的には、情報転送部９３は、転送先携帯電話機１１ｂから、通信路選択部９０が選択した通信路を介して受信した情報を、ＬＡＮ接続部４２およびＬＡＮ１３を介して転送元クレードル１２ａに送信している。また、情報転送部８５は、転送元クレードル１２ａからＬＡＮ１３およびＬＡＮ接続部４２を介して受信した情報を、通信路選択部９０が選択した通信路を介して転送先携帯電話機１１ｂに送信している。
【００９５】
上記構成の電話システム１０における処理動作について、図１１〜図１５を参照して説明する。図１１は、転送元携帯電話機１１ａの転送先設定部６１と、転送元クレードル１２ａの転送先設定部８１とにおいて行われる転送先の設定処理を示している。この処理は、着呼処理および通話処理に先立って行われる。
【００９６】
図１１に示すように、まず、転送先設定部６１は、転送先が転送元携帯電話機１１ａに依存する設定とするか否かを、ユーザに操作部２７を介して選択させる（ステップＳ１０（以下「Ｓ１０」と略称することがある。他のステップについても同様である。））。依存しない設定が選択された場合（Ｓ１０にてＮＯ）、転送先設定部６１は、図８に示されるように、転送先クレードル１２ｂの情報のみを転送先情報６６として設定する（Ｓ１１）。
【００９７】
一方、依存する設定が選択された場合（Ｓ１０にてＹＥＳ）、転送先設定部６１は、図９に示されるように、自機１１ａの電話番号（携帯番号）と、転送先クレードル１２ｂの情報とを対応付けて設定する（Ｓ１２）。次に、転送先設定部６１は、発呼元の電話番号であって、転送を禁止する電話番号である転送禁止番号（転送禁止識別情報）を設定するか否かを、ユーザに操作部２７を介して選択させる（Ｓ１３）。上記転送禁止番号を設定しない場合（Ｓ１３にてＮＯ）、転送先情報６６は、図９に示されるように、自機１１ａの携帯番号と転送先クレードル１２ｂの情報とが対応付けられたものとなる。
【００９８】
一方、上記転送禁止番号を設定する場合（Ｓ１３にてＹＥＳ）、転送先設定部６１は、
通常の携帯電話機が有しているアドレス帳（図示せず）の携帯番号の中から、転送禁止番号をユーザに選択させる（Ｓ１４）。図１２は、このときに表示部２８が表示する選択画面を示している。ユーザは、上記選択画面のチェックボックスにチェックを入れることにより、転送禁止番号を選択することができる。
【００９９】
そして、転送先設定部６１は、ユーザが選択した転送禁止番号を、転送先情報６６に設定して、記憶部２１に記憶する（Ｓ１４）。図１３は、このステップで設定された転送先情報６６のデータ構造を示している。図示のように、転送先情報６６は、上記転送禁止番号が、自機１１ａの電話番号（携帯番号）と、転送先クレードル１２ｂの情報とに対応付けられたものとなる。
【０１００】
次に、転送元携帯電話機１１ａが転送元クレードル１２ａに装着されると（Ｓ１５）、転送元携帯電話機１１ａおよび転送元クレードル１２ａは、短距離無線通信を確立する（Ｓ１６・Ｓ１７）。なお、後述のように、Ｉ／Ｆ部３４・５０を介しての有線通信を確立してもよい。
【０１０１】
次に、転送元携帯電話機１１ａの転送先設定部６１は、記憶部２１に記憶された転送先情報６６を自機１１ａの携帯番号と共に転送元クレードル１２ａに送信する（Ｓ１８）。このとき、転送元クレードル１２ａの転送先設定部８１は、転送元携帯電話機１１ａからの転送先情報６６および携帯番号を、短距離無線通信部４６を介して受信し（Ｓ１９）、受信した転送先情報を記憶部４１に記憶し、転送先情報８６として登録する（Ｓ２０）。
【０１０２】
その後、転送元クレードル１２ａは、転送先の設定が完了した旨を示す設定完了通知を転送元携帯電話機１１ａに送信する（Ｓ２１）。このとき、転送元携帯電話機１１ａは、転送元クレードル１２ａから設定完了通知を受信すると（Ｓ２２）、転送先の設定が完了した旨を表示部２８に表示することにより、ユーザに設定完了を報知する（Ｓ２３）。その後、上記転送先の設定処理を終了する。
【０１０３】
図１４は、携帯電話機１１の通信路選択部６０・７０が行う処理の一例を示している。図示のように、まず、通信路選択部６０・７０は、自機１１がクレードル１２に装着されているか否かを判断する（Ｓ３０）。この判断処理は、Ｉ／Ｆ部３４がクレードル１２のＩ／Ｆ部５０と導通しているかを調べたり、充電用端子部３２がクレードル１２の給電用端子部４９と導通しているかを調べたりすることなどにより、行うことができる。
【０１０４】
自機１１がクレードル１２に装着されている場合（Ｓ３０にてＹＥＳ）、通信路選択部６０・７０は、Ｉ／Ｆ部３４を介した有線通信を選択する（Ｓ３１）。一方、自機１１がクレードル１２に装着されていない場合（Ｓ３０にてＮＯ）、通信路選択部６０・７０は、短距離無線通信部３０に対し、短距離無線通信でクレードル１２と通信するように指示して、クレードル１２と短距離無線通信が可能か否かを判断する（Ｓ３２）。
【０１０５】
短距離無線通信が可能である場合（Ｓ３２にてＹＥＳ）、通信路選択部６０・７０は、短距離無線通信部３０を介した短距離無線通信を選択する（Ｓ３２）。一方、短距離無線通信が不可能であった場合（Ｓ３２にてＮＯ）、通信路選択部６０・７０は、有線通信および短距離無線通信の何れの通信路も選択しない（Ｓ３４）。すなわち、クレードル１２への情報の送受信を行わないことになる。そして、ステップＳ３１・Ｓ３３・Ｓ３４の終了後、ステップＳ３０に戻って上記動作を繰り返す。
【０１０６】
なお、クレードル１２の通信路選択部８０・９０が行う処理は、図１４に示す処理において、クレードル１２を携帯電話機１１に替えたものとなる。
【０１０７】
図１５は、電話システム１０における通話処理を示している。なお、転送元携帯電話機１１ａと転送元クレードル１２ａとの間の有線通信または短距離無線通信が既に確立しており、転送先携帯電話機１１ｂと転送先クレードル１２ｂとの間の有線通信または短距離無線通信が既に確立しているとする。従って、以下では、特に断らない限り通信路の記載を省略している。
【０１０８】
まず、転送元携帯電話機１１ａの着呼取得部６２が着呼を取得すると（Ｓ４０）、着呼取得部６２は、着呼情報を転送元クレードル１２ａに送信する一方（Ｓ４１）、報知情報取得部６３は、発呼元の電話番号に関連付けられた報知情報を、記憶部２１の報知情報設定テーブル６７から検索して、転送元クレードル１２ａに送信する（Ｓ４２）。
【０１０９】
一方、転送元クレードル１２ａでは、着呼取得部８２が、転送元携帯電話機１１ａからの着呼情報および報知情報を取得すると（Ｓ４３・Ｓ４４）、転送先取得部８３が、記憶部４１から転送先情報８６を読み出して、転送先が設定されているか否かを判断する（Ｓ４５）。転送先が設定されていない場合（Ｓ４５にてＮＯ）、転送先携帯電話機１１ｂへの着呼および通話の転送を行うことができないので、上記通話処理を終了する。このとき、転送元携帯電話機１１ａは、図には示していないが、通常の着呼処理および通話処理を行うことになる。
【０１１０】
一方、転送先が設定されている場合（Ｓ４５にてＹＥＳ）、転送適否問合せ部８４は、転送先の携帯電話機１１ｂでの着呼報知が可能か否かを、転送先クレードル１２ｂに問い合わせる（Ｓ４６）。このとき、転送先クレードル１２ｂでは、転送適否判定部９２が、上記着呼報知が可能か否かを判定して（Ｓ４７）、判定結果を転送元クレードル１２ａに送信する（Ｓ４８）。例えば、転送先クレードル１２ｂは、転送先携帯電話機１１ｂと通信できなかったり、転送先携帯電話機１１ｂが既に通話中である旨が転送先携帯電話機１１ｂから通知されたりすると、転送適否判定部９２は、上記着呼報知が不可能であると判定して、その旨を転送元クレードル１２ａに送信することになる。
【０１１１】
次に、転送元クレードル１２ａでは、転送適否問合せ部８４は、転送先クレードル１２ｂから上記判定結果を受け取ると、該判定結果に従い、上記着呼報知が可能か否かを判断する（Ｓ４９）。上記着呼報知が不可能である場合（Ｓ４９にてＮＯ）、転送先携帯電話機１１ｂへの着呼および通話の転送を行うことができないので、上記通話処理を終了する。このとき、図には示していないが、転送先クレードル１２ｂも同様に通話処理を終了する、一方、転送元携帯電話機１１ａは、通常の着呼処理および通話処理を行うことになる。
【０１１２】
一方、上記着呼報知が可能である場合（Ｓ４９にてＹＥＳ）、転送適否問合せ部８４は、着呼情報および報知情報を転送先クレードル１２ｂに送信する（Ｓ５０）。このとき、転送先クレードル１２ｂでは、情報転送部９３が、転送元クレードル１２ａからの着呼情報および報知情報を転送先携帯電話機１１ｂに転送する（Ｓ５１）。
【０１１３】
そして、転送先携帯電話機１１ｂでは、転送先クレードル１２ｂから着呼情報および報知情報を着呼取得部７１および報知情報取得部７２がそれぞれ受信すると（Ｓ５２）、出力制御部７３は、表示部２８を制御して着呼情報を表示し（Ｓ５３）、音声処理部２４および表示部２８を制御して、報知情報に基づく着呼報知を行う（Ｓ５４）。
【０１１４】
その後、転送先携帯電話機１１ｂにて、操作部２７のオフフックボタン（通話開始ボタン）が押されると（Ｓ５５）、通話指示取得部７４は、通話開始指示を転送先クレードル１２ｂに送信する。このとき、転送先クレードル１２ｂでは、情報転送部９３が上記通話開始指示を転送元クレードル１２ａに転送し（Ｓ５６）、転送元クレードル１２ａでは、情報転送部８５が上記通話開始指示を転送元携帯電話機１１ａに転送する（Ｓ５７）。
【０１１５】
そして、転送元携帯電話機１１ａでは、通話指示部６４が転送元クレードル１２ａから上記通話開始指示を受信すると、携帯電話網通信部２３に対し、回線接続などの通話開始処理を行う（Ｓ５８）。これにより、発呼元の電話機と転送先携帯電話機１１ｂとの間で通話を行うことができる（Ｓ５９）。
【０１１６】
このとき、発呼元の電話機からの音声情報は、転送元携帯電話機１１ａの音声送受部６５、転送元クレードル１２ａの情報転送部８５、転送先クレードル１２ｂの情報転送部９３、および転送先携帯電話機１１ｂの音声転送部７５を介して、転送先携帯電話機１１ｂの音声処理部２４に転送されることにより、転送先携帯電話機１１ｂの音声出力部２６から音声が出力されることになる。反対に、転送先携帯電話機１１ｂの音声入力部２５から入力された音声情報は、転送先携帯電話機１１ｂの音声転送部７５、転送先クレードル１２ｂの情報転送部９３、転送元クレードル１２ａの情報転送部８５、および転送元携帯電話機１１ａの音声送受部６５を介して、転送元携帯電話機１１ａの携帯電話網通信部２３に転送されることにより、発呼元の電話機から音声が出力されることになる。
【０１１７】
その後、転送先携帯電話機１１ｂにて、操作部２７のオンフックボタン（通話終了ボタン）が押されると（Ｓ６０）、通話指示取得部７４は、通話終了指示を転送先クレードル１２ｂに送信する。このとき、転送先クレードル１２ｂでは、情報転送部９３が上記通話終了指示を転送元クレードル１２ａに転送し（Ｓ６１）、転送元クレードル１２ａでは、情報転送部８５が上記通話終了指示を転送元携帯電話機１１ａに転送する（Ｓ６２）。
【０１１８】
そして、転送元携帯電話機１１ａでは、通話指示部６４が転送元クレードル１２ａから上記通話終了指示を受信すると、携帯電話網通信部２３に対し、回線切断処理を行う（Ｓ６３）。なお、発呼元の電話機から回線が切断された場合、上記ステップＳ６０〜Ｓ６２は省略される。
【０１１９】
その後、転送元携帯電話機１１ａでは、通話指示部６４が、回線を切断した旨を示す回線切断情報を転送元クレードル１２ａに送信する。このとき、上記回線切断情報は、転送元クレードル１２ａの情報転送部８５、および転送先クレードル１２ｂの情報転送部９３を介して、転送先携帯電話機１１ｂの出力制御部７３に転送されることにより、転送先携帯電話機１１ｂの表示部２８に回線切断情報が表示される（Ｓ６４〜Ｓ６６）。その後、携帯電話機１１ａ・１１ｂおよびクレードル１２ａ・１２ｂにおける通話処理を終了する。
【０１２０】
なお、本実施形態では、転送元携帯電話機１１ａおよび転送先携帯電話機１１ｂを異なる携帯電話機１１としているが、転送元携帯電話機１１ａおよび転送先携帯電話機１１ｂの両方の機能を有する携帯電話機１１であってもよい。この場合、制御部２０が、図５に示す各部６０〜６５と、図６に示す各部７０〜７５とを含み、記憶部２１が情報６６・６７を記憶すればよい。
【０１２１】
同様に、本実施形態では、転送元クレードル１２ａおよび転送先クレードル１２ｂを異なるクレードル１２としているが、転送元クレードル１２ａおよび転送先クレードル１２ｂの両方の機能を有するクレードル１２であってもよい。この場合、制御部４０が、図１に示す各部８０〜８５と、図７に示す各部９０〜９３とを含み、記憶部４１が情報８６を記憶すればよい。
【０１２２】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１２３】
例えば、上記実施形態では、携帯電話機１１およびクレードル１２は、Ｉ／Ｆ部３４・５０を介して有線通信を行っているが、該有線通信を省略してもよい。この場合、携帯電話機１１がクレードル１２に装着された場合でも、短距離無線通信が行われることになる。また、通信路選択部６０・７０・８０・９０および着脱検知部９１が不要となる。
【０１２４】
また、上記実施形態では、報知情報を転送しているが、これを省略してもよい。この場合、転送先携帯電話機１１ｂに設定されたデフォルトの報知情報に基づいて、着呼報知が行われることになる。
【０１２５】
最後に、携帯電話機１１およびクレードル１２の各ブロック、特に制御部２０・４０は、ハードウェアロジックによって構成してもよいし、次のようにＣＰＵを用いてソフトウェアによって実現してもよい。
【０１２６】
すなわち、携帯電話機１１およびクレードル１２は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである携帯電話機１１およびクレードル１２の制御プログラムのプログラムコード（実行形式プログラム、中間コードプログラム、ソースプログラム）をコンピュータで読み取り可能に記録した記録媒体を、上記携帯電話機１１およびクレードル１２に供給し、そのコンピュータ（またはＣＰＵやＭＰＵ）が記録媒体に記録されているプログラムコードを読み出し実行することによっても、達成可能である。
【０１２７】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１２８】
また、携帯電話機１１およびクレードル１２を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネット
ワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、ＩＥＥＥ８０２．１１無線、ＨＤＲ、携帯電話網、衛星回線、地上波デジタル網等の無線でも利用可能である。
【産業上の利用可能性】
【０１２９】
以上のように、本発明は、複数の携帯電話機を利用して、或る携帯電話機での着呼を別の携帯電話機で報知することができるので、電子メールの着信の報知など、情報の到達を報知する任意の通信システムに適用することができる。
【図面の簡単な説明】
【０１３０】
【図１】本発明の一実施形態である電話システムにおいて、転送元クレードルとして機能するクレードルの制御部の概略構成を示すブロック図である。
【図２】上記電話システムの概要図である。
【図３】上記電話システムにおける携帯電話機の概略構成を示すブロック図である。
【図４】上記電話システムにおけるクレードルの概略構成を示すブロック図である。
【図５】転送元携帯電話機として機能する上記携帯電話機の制御部の概略構成を示すブロック図である。
【図６】転送先携帯電話機として機能する上記携帯電話機の制御部の概略構成を示すブロック図である。
【図７】転送先クレードルとして機能する上記クレードルの制御部の概略構成を示すブロック図である。
【図８】上記転送元クレードルの記憶部が記憶する転送先情報の一例を表形式で示す図である。
【図９】上記転送先情報の別の例を表形式で示す図である。
【図１０】上記転送先情報のさらに別の例を表形式で示す図である。
【図１１】上記転送元携帯電話機の転送先設定部と、上記転送元クレードルの転送先設定部とにおいて行われる転送先の設定処理を示すフローチャートである。
【図１２】転送禁止番号を選択させるための選択画面の一例を示す図である。
【図１３】上記転送先情報の他の例を表形式で示す図である。
【図１４】上記携帯電話機の通信路選択部が行う処理の一例を示すフローチャートである。
【図１５】上記電話システムにおける通話処理を示すフローチャートである。
【符号の説明】
【０１３１】
１０  電話システム（通信システム）
１１  携帯電話機
１１ａ  転送元携帯電話機
１１ｂ  転送先携帯電話機
１２  クレードル（通信装置）
１２ａ  転送元クレードル
１２ｂ  転送先クレードル
１３  ＬＡＮ（通信ネットワーク）
１４  基地局
２０・４０  制御部
２１・４１  記憶部
２３  携帯電話網通信部
２４  音声処理部
２５  音声入力部
２６  音声出力部
２７  操作部
２８  表示部
３０  短距離無線通信部
３１  電源部
３２  充電用端子部
３３  充電部
３４  Ｉ／Ｆ部
４２  ＬＡＮ接続部
４３  操作部
４４  表示部
４６  短距離無線通信部（携帯電話通信部、無線通信部）
４７  電源部
４８  給電部
４８  充電制御部
４９  給電用端子部
５０  Ｉ／Ｆ部（携帯電話通信部、有線通信部）
６０・７０・８０  通信路選択部
６１  転送先設定部
６２  着呼取得部
６３  報知情報取得部
６４  通話指示部
６５  音声送受部
６６  転送先情報
６７  報知情報設定テーブル（発呼対応情報）
７０  通信路選択部
７１  着呼取得部
７２  報知情報取得部
７３  出力制御部
７４  通話指示取得部
７５  音声転送部
８１  転送先設定部（設定手段）
８２  着呼取得部（着呼転送手段）
８３  転送先取得部（着呼転送手段）
８４  転送適否問合せ部（着呼転送手段）
８５  情報転送部（情報転送手段）
８６  転送先情報
９０  通信路選択部（通信制御手段）
９１  着脱検知部
９２  転送適否判定部
９３  情報転送部（情報転送手段）
【図１】
0004932676.tif 000002
【図２】
0004932676.tif 000003
【図３】
0004932676.tif 000004
【図４】
0004932676.tif 000005
【図５】
0004932676.tif 000006
【図６】
0004932676.tif 000007
【図７】
0004932676.tif 000008
【図８】
0004932676.tif 000009
【図９】
0004932676.tif 000010
【図１０】
0004932676.tif 000011
【図１２】
0004932676.tif 000012
【図１３】
0004932676.tif 000013
【図１４】
0004932676.tif 000014
【図１５】
0004932676.tif 000015
【図１１】
0004932676.tif 000016